(57)【要約】【課題】必要時に多くの地下水を供給でき、且つ、地下水の供給量を十分に絞った時の消費電力を低下させる地下水利用システムを提供する。【解決手段】地下水利用システムは、ヒートポンプ２、流路１３を備える。ヒートポンプ２は第一井戸８１から供給される地下水１７を利用する。流路１３は、第一井戸８１からヒートポンプ２に接続される。流路１３には、複数のポンプ１５が設けられる。複数のポンプ１５は、第一井戸８１からヒートポンプ２に地下水１７を供給する。ＣＰＵは、ポンプ１５の運転台数を変更して、第一井戸８１からヒートポンプ２に地下水１７を供給する。【選択図】図１
2019174025.tif 000002
【特許請求の範囲】
【請求項１】
井戸から供給される地下水を利用する地下水利用装置と、
前記井戸から前記地下水利用装置に接続された前記地下水の流路と、
前記流路に設けられ、前記井戸から前記地下水利用装置に前記地下水を供給する複数のポンプと、
前記ポンプの運転台数を変更して、前記井戸から前記地下水利用装置に供給する前記地下水の供給量を調整する調整制御手段と
を備えたことを特徴とする地下水利用システム。
【請求項２】
前記複数のポンプは、前記井戸において前記地下水の中に配置され、前記流路において並列接続されていることを特徴とする請求項１に記載の地下水利用システム。
【請求項３】
前記複数のポンプは、前記流路において直列接続されていることを特徴とする請求項１又は２に記載の地下水利用システム。
【請求項４】
前記調整制御手段は、
前記運転台数を増やすポンプ駆動制御手段と、
前記ポンプ駆動制御手段が、前記運転台数を増やす場合に、前記ポンプ駆動制御手段が前記運転台数を増やす前から運転していた前記ポンプによる前記地下水の供給量を減らし、前記井戸から前記地下水利用装置に供給する前記地下水の供給量を調整する減少制御手段と
を備えたことを特徴とする請求項１から３のいずれかに記載の地下水利用システム。
【請求項５】
前記調整制御手段は、
前記運転台数を減らすポンプ停止制御手段と、
前記ポンプ停止制御手段が、前記運転台数を減らす場合に、継続運転する前記ポンプによる前記地下水の供給量を減らし、前記井戸から前記地下水利用装置に供給する前記地下水の供給量を調整する増大制御手段と
を備えたこと特徴とする請求項１から４のいずれかに記載の地下水利用システム。
【請求項６】
前記複数のポンプのうちの少なくとも一部は、前記地下水の供給量が一定の定流量ポンプであることを特徴とする請求項１から５のいずれかに記載の地下水利用システム。
【請求項７】
前記複数のポンプは、
前記定流量ポンプと、
前記地下水の供給量を調整可能な供給量調整ポンプと
を備えることを特徴とする請求項６に記載の地下水利用システム。
【請求項８】
前記定流量ポンプにおける前記地下水の供給量は、前記供給量調整ポンプにおける前記地下水の最小の供給量以下であることを特徴とする請求項７に記載の地下水利用システム。
【請求項９】
前記地下水利用装置は、ヒートポンプであることを特徴とする請求項１から８のいずれかに記載の地下水利用システム。
【発明の詳細な説明】
【技術分野】
【０００１】
本発明は、地下水を利用する地下水利用システムに関する。
【背景技術】
【０００２】
従来、地下水を装置に供給して種々の用途に利用する地下水利用システムが知られている。例えば、特許文献１に記載した空調システムは、ヒートポンプを用いて地下水の温度を利用することにより、居住区内で空気を自然対流させて室内空調を行う。空調システムは、地下水汲み上げ管から１つのポンプで地下水を揚水し、ヒートポンプにより熱交換した後、地下水戻し管から地下に地下水を戻している。
【先行技術文献】
【特許文献】
【０００３】
【特許文献１】特開２００５−２０７７０４号公報
【発明の概要】
【発明が解決しようとする課題】
【０００４】
インバータポンプの地下水の供給量と、ポンプの消費電力には、一例として、図１２に示すような関係がある。すなわち、ポンプによる地下水の供給量が大きくなるほど、ポンプの消費電力が増大する。最大供給量Ｑ１でポンプが地下水を供給するとき、ポンプの消費電力はＰ１となる。最小供給量Ｑ２でポンプが地下水を供給するとき、ポンプの消費電力はＰ２となる。
【０００５】
一般的に、ポンプは、最小供給量Ｑ２より小さい供給量の範囲では運転できない。このため、ポンプの消費電力は、消費電力Ｐ２より小さくすることはできない。そして、最大供給量Ｑ１が大きいほど、ポンプの最小供給量Ｑ２は大きくなり、最小消費電力Ｐ２が大きくなる。
【０００６】
例えば、前記従来の空調システムにおいて、大きな空調負荷に対応するために、大きな最大供給量Ｑ１を持つポンプを採用すると、最小供給量Ｑ２も大きくなる。このため、空調負荷が大幅に低下したときでも、最小供給量Ｑ２より小さい供給量でポンプを運転することができなかった。よって、システムを低消費電力で運用し難いという問題点があった。
【０００７】
本発明の目的は、必要時には多くの地下水を供給でき、且つ、地下水の供給量を十分に絞った時の消費電力を低下させる地下水利用システムを提供することである。
【課題を解決するための手段】
【０００８】
本発明に係る地下水利用システムは、井戸から供給される地下水を利用する地下水利用装置と、前記井戸から前記地下水利用装置に接続された前記地下水の流路と、前記流路に設けられ、前記井戸から前記地下水利用装置に前記地下水を供給する複数のポンプと、前記ポンプの運転台数を変更して、前記井戸から前記地下水利用装置に供給する前記地下水の供給量を調整する調整制御手段とを備えている。
【０００９】
この場合、ポンプの運転台数を変更して、井戸から地下水利用装置に供給する地下水の供給量を調整することができる。このため、高流量時には、ポンプの運転台数を増やし、多くの地下水を地下水利用装置に供給することができる。また、低流量時には、ポンプの運転台数を減らして、少量の地下水を、地下水利用装置に供給することができる。よって、低流量時のポンプの消費電力を低減できる。よって、地下水利用システムの消費電力を低減することができる。故に、地下水利用システムは、必要時には多くの地下水を供給でき、且つ、地下水の供給量を十分に絞った時の消費電力を低下させる
【００１０】
前記地下水利用システムにおいて、前記複数のポンプは、前記井戸において前記地下水の中に配置され、前記流路において並列接続されてもよい。この場合、並列に接続された複数のポンプの運転台数を変更することができる。このため、高流量時に運転するポンプを増やして多くの地下水を供給でき、且つ、低流量時にポンプの運転台数を減らしてポンプの消費電力を低減することができる。よって、地下水利用システムの消費電力を低減することができる。
【００１１】
前記地下水利用システムにおいて、前記複数のポンプは、前記流路において直列接続されてもよい。この場合、直列に接続された複数のポンプの運転台数を変更することができる。このため、高流量時に運転するポンプを増やして多くの地下水を供給でき、且つ、低流量時にポンプの運転台数を減らしてポンプの消費電力を低減することができる。よって、地下水利用システムの消費電力を低減することができる。
【００１２】
前記地下水利用システムにおいて、前記調整制御手段は、前記運転台数を増やすポンプ駆動制御手段と、前記ポンプ駆動制御手段が、前記運転台数を増やす場合に、前記ポンプ駆動制御手段が前記運転台数を増やす前から運転していた前記ポンプによる前記地下水の供給量を減らし、前記井戸から前記地下水利用装置に供給する前記地下水の供給量を調整する減少制御手段とを備えてもよい。この場合、運転台数を増やす前から運転していたポンプによる地下水の供給量が減らされるので、複数のポンプが供給する合計の供給量を、単一のポンプの最小の供給量よりも小さい範囲で調整することができる。よって、運転台数を増やす前から運転していたポンプによる地下水の供給量が減少しない場合に比べ、地下水利用シスムは、状況に応じてより適切に地下水の供給量を設定することができる。
【００１３】
前記地下水利用システムにおいて、前記調整制御手段は、前記運転台数を減らすポンプ停止制御手段と、前記ポンプ停止制御手段が、前記運転台数を減らす場合に、継続運転する前記ポンプによる前記地下水の供給量を増やし、前記井戸から前記地下水利用装置に供給する前記地下水の供給量を調整する増大制御手段とを備えてもよい。この場合、継続運転するポンプによる地下水の供給量が増やされるので、複数のポンプが供給する合計の供給量を、単一のポンプの最小の供給量よりも小さい範囲で調整することができる。よって、継続運転するポンプによる地下水の供給量が増大しない場合に比べ、地下水利用システムは、状況に応じてより適切に地下水の供給量を設定することができる。
【００１４】
前記地下水利用システムにおいて、前記複数のポンプのうちの少なくとも一部は、前記地下水の供給量が一定の定流量ポンプであってもよい。この場合、地下水利用システムは、定流量ポンプを含んだ複数のポンプの運転台数を変更することで、井戸から地下水利用装置に供給する地下水の供給量を調整することができる。
【００１５】
前記地下水利用システムにおいて、前記複数のポンプは、前記定流量ポンプと、前記地下水の供給量を調整可能な供給量調整ポンプとを備えてもよい。この場合、地下水利用システムは、定流量ポンプと供給量調整ポンプを含んだ複数のポンプの運転台数を変更することで、井戸から地下水利用装置に供給する地下水の供給量を調整することができる。
【００１６】
前記地下水利用システムにおいて、前記定流量ポンプにおける前記地下水の供給量は、前記供給量調整ポンプにおける前記地下水の最小の供給量以下であってもよい。この場合、定流量ポンプにおける地下水の供給量が、供給量調整ポンプにおける地下水の最小の供給量より大きい場合に比べて、複数のポンプの合計の供給量を滑らかに変化させることができる
【００１７】
前記地下水利用システムにおいて、前記地下水利用装置は、ヒートポンプであってもよい。この場合、複数のポンプの運転台数を変更することで、井戸からヒートポンプに供給する地下水の供給量を調整することができる。
【００１８】
また、ヒートポンプは、少量の地下水を利用して熱交換の動作をすることができる。しかし、従来のシステムでは、空調負荷が大幅に低下したときでも、ポンプの最小供給量より小さい供給量でポンプを運転することがでなかったので、システム全体としての消費電力が増大していた。本発明では、ポンプの運転台数を減らして、少量の地下水を、ヒートポンプに供給できるので、ポンプだけでなく、地下水利用システムの消費電力を低減することができる。
【図面の簡単な説明】
【００１９】
【図１】地下水利用システム１の構成を示す図である。
【図２】ヒートポンプ２の構成、及び地下水利用システム１の電気的構成を示す図である。
【図３】供給量データテーブル９５のデータ構成図である。
【図４】供給処理のフローチャートである。
【図５】ポンプ１５による地下水の供給量と、ポンプ１５の消費電力の対応関係の概略を示すグラフである。
【図６】変形例に係る地下水利用システム１Ａの構成を示す図である。
【図７】変形例に係る地下水利用システム１Ｂの構成を示す図である。
【図８】変形例に係る地下水利用システム１Ｃの構成を示す図である。
【図９】変形例に係る地下水利用システム１Ｄの構成を示す図である。
【図１０】変形例に係る供給量データテーブル９５Ａの構成を示す図である。
【図１１】変形例に係る供給量データテーブル９５Ｂの構成を示す図である。
【図１２】従来のシステムにおけるポンプによる地下水の供給量と、ポンプの消費電力の対応関係の概略を示すグラフである。
【発明を実施するための形態】
【００２０】
以下、本発明を具現化した地下水利用システム１について説明する。まず、図１を参照し、地下水利用システム１の概要について説明する。図１に示す地下水利用システム１は、室内の空調を行うシステムである。以下の説明において、図１の紙面上側及び下側を、地下水利用システム１の上側及び下側という。また、地下水利用システム１の下側は重力方向であり、上側は反重力方向である。
【００２１】
まず、地下水利用システム１が配置される環境について説明する。地下水利用システム１が配置される環境には、第一井戸８１、第二井戸８２、及び建物７８が存在する。建物７８は、地表１０５の上側に建っている。第一井戸８１及び第二井戸８２は、夫々、地表１０５から下側に向けて設けられている。第一井戸８１及び第二井戸８２には、地下水１７が溜まっている。第一井戸８１及び第二井戸８２内の地下水１７は、図示しない透水性地層から供給されている。
【００２２】
地下水利用システム１の構成について説明する。図１に示す地下水利用システム１は、複数（本実施形態では一例として２台）のポンプ１５１，１５２を並列に用いる例である。地下水利用システム１は、ファンコイルユニット（Ｆａｎ  Ｃｏｉｌ  Ｕｎｉｔ）１０、ヒートポンプ２、流路１１、流路１２、流路１３、及び流路１４を備えている。また、地下水利用システム１は、温度センサ９０１，９０２，９０３，９０４及び流量計９５１，９５２，９５３，９５４を備えている。
【００２３】
ファンコイルユニット１０は、建物７８の室内７８１から空気を取り込み、液体１６との熱交換を行って、空気の温度を調整し、送風機で室内７８１に送風する。これによって、室内７８１の冷房又は暖房が行われる。なお、液体１６は、流路１２からファンコイルユニット１０に供給され、ファンコイルユニット１０内を流れ、流路１１から流出する。
【００２４】
ヒートポンプ２は、屋外（建物７８の外側）に配置されている。流路１１及び流路１２は、夫々、ヒートポンプ２とファンコイルユニット１０とに接続されている。流路１３及び流路１４は、ヒートポンプ２に接続されている。流路１１及び流路１２は、液体１６が流れる流路である。流路１３は、第一井戸８１からヒートポンプ２に延びる。流路１４は、ヒートポンプ２から、第二井戸８２に延びる。第一井戸８１から揚水された地下水１７は、流路１３、ヒートポンプ２、流路１４を介して、第二井戸８２に流れる。
【００２５】
流路１３についてより詳細に説明する。流路１３は、流路１３１、流路１３２、流路１３３を備えている。また、流路１３には、複数のポンプ１５が配置されている。本実施形態においては、複数のポンプ１５の一例として、ポンプ１５１とポンプ１５２の２台が設けられている。ポンプ１５１及びポンプ１５２は、第一井戸８１の地下水１７の中に配置されている。ポンプ１５１及びポンプ１５２は、第一井戸８１の地下水１７を揚水し、ヒートポンプ２に供給する揚水ポンプである。
【００２６】
流路１３２の一端は、ポンプ１５１に接続されている。流路１３２は、ポンプ１５１から上方に延び、接続点９００において、流路１３１と流路１３３とに接続されている。流路１３３の一端は、ポンプ１５２に接続されている。流路１３３は、ポンプ１５２から上方に延び、接続点９００において、流路１３１と流路１３２とに接続されている。流路１３１は、地表１０５の上側を、接続点９００からヒートポンプ２に延びる。ポンプ１５１，１５２は、第一井戸８１から地下水１７を揚水し、ヒートポンプ２に供給する。
【００２７】
流路１４は、ヒートポンプ２から第二井戸８２に延びる。流路１４の一端には、開口部１４１が設けられている。開口部１４１は、第二井戸８２の地下水１７の中に配置されている。ヒートポンプ２から流路１４を介して流れる地下水１７は、開口部１４１を介して、第二井戸８２に流出する。
【００２８】
温度センサ９０１は、流路１１に配置されている。温度センサ９０２は、流路１２に配置されている。温度センサ９０３は、流路１３１に配置されている。温度センサ９０４は、流路１４に配置されている。なお、温度センサ９０１〜９０４のうち、少なくとも１つが設けられなくてもよい。
【００２９】
流量計９５１は、流路１２に配置されている。流量計９５２は、流路１３２において、ポンプ１５１と接続点９００との間に配置されている。流量計９５３は、流路１３３において、ポンプ１５２と接続点９００との間に配置されている。流量計９５４は、流路１３１において、接続点９００とヒートポンプ２との間に配置されている。なお、流量計９５１〜９５４のうち、少なくとも１つが設けられなくてもよい。
【００３０】
図２を参照して、ヒートポンプ２について説明する。ヒートポンプ２は、熱交換部２１、及び制御部２４を備えている。制御部２４は、ＣＰＵ２４１、ＲＯＭ２４２、ＲＡＭ２４３を備えている。ＣＰＵ２４１は、地下水利用システム１の制御を行う。ＲＯＭ２４２には、後述する熱交換制御プログラム及び供給処理のプログラム等、種々のプログラムデータが記憶されている。また、ＲＯＭ２４２には、後述する供給量データテーブル９５（図３参照）等、種々のデータが記憶されている。ＲＡＭ２４３には、種々の一時データが記憶される。
【００３１】
ＣＰＵ２４１には、熱交換部２１、ＲＯＭ２４２、及びＲＡＭ２４３が電気的に接続されている。ＣＰＵ２４１は、熱交換部２１の制御を行う。また、ＣＰＵ２４１には、ファンコイルユニット１０が電気的に接続されている。ＣＰＵ２４１は、ファンコイルユニット１０を制御し、室内７８１の冷暖房を実行する。ファンコイルユニット１０は操作部１０１を備えている。ＣＰＵ２４１は、操作部１０１を介して入力される使用者からの指示を取得する。
【００３２】
ＣＰＵ２４１には、温度センサ９０１〜９０４が電気的に接続されている。ＣＰＵ２４１は、温度センサ９０１，９０２の出力に基づいて、流路１１，１２を流れる液体１６の温度を検出する。ＣＰＵ２４１は、温度センサ９０３，９０４の出力に基づいて、流路１３，１４を流れる地下水１７の温度を検出する。
【００３３】
ＣＰＵ２４１には、流量計９５１〜９５４が電気的に接続されている。ＣＰＵ２４１は、流量計９５１の出力に基づいて、流路１２を流れる液体１６の流量を検出する。ＣＰＵ２４１は、流量計９５２の出力に基づいて、流路１３２を流れる地下水１７の流量を検出する。ＣＰＵ２４１は、流量計９５３の出力に基づいて、流路１３３を流れる地下水１７の流量を検出する。ＣＰＵ２４１は、流量計９５４の出力に基づいて、流路１３１を流れる地下水１７の流量を検出する。
【００３４】
ＣＰＵ２４１には、複数のポンプ１５（本実施形態においてはポンプ１５１，１５２）が電気的に接続されている。ＣＰＵ２４１は、ポンプ１５１，１５２を制御して、第一井戸８１からヒートポンプ２に地下水１７を供給する。本実施形態においては、一例として、ポンプ１５１，１５２は、地下水１７の供給量を調整可能な供給量調整ポンプ（例えば、インバータポンプ）であるとする。ＣＰＵ２４１は、ポンプ１５１，１５２の地下水１７の供給量を制御して、第一井戸８１からヒートポンプ２に供給する地下水１７の供給量を調整する。ＣＰＵ２４１は、流量計９５１，９５２，９５３の出力を参照しながら、ポンプ１５１，１５２による地下水１７の供給量を調整する。
【００３５】
図３を参照して、供給量データテーブル９５について説明する。図３に示すように、供給量データテーブル９５においては、合計供給量（Ｌ／分）（リットル毎分）、ポンプの運転台数、ポンプ１５１の供給量（Ｌ／分）、及びポンプ１５２の供給量（Ｌ／分）が対応付けられている。合計供給量は、第一井戸８１からヒートポンプ２に供給する地下水１７の供給量である。ポンプの運転台数は、ポンプ１５１，１５２のうち、運転するポンプ１５の数である。ポンプ１５１の供給量は、ポンプ１５１が第一井戸８１からヒートポンプ２に供給する地下水１７の供給量である。ポンプ１５２の供給量は、ポンプ１５２が第一井戸８１からヒートポンプ２に供給する地下水１７の供給量である。ポンプ１５１の供給量とポンプ１５２の供給量との合計が、合計供給量となる。ＣＰＵ２４１は、ヒートポンプ２に供給する供給量を変更しながら、ファンコイルユニット１０によって室内の温度を調整する。なお、供給量データテーブル９５においては、一例として、供給量を５Ｌ／分又は１０Ｌ／分ごとに設定しているが、これに限定されない。例えば、供給量が０．１Ｌ／分ごとに設定されてもよい。
【００３６】
図１及び図２を参照して、熱交換部２１の詳細、及び、本実施形態の熱交換の態様について説明する。熱交換部２１は、流路１３から流入する地下水１７の温度を利用して、流路１１から流入する液体１６を冷却又は加熱するように構成されている。なお、熱交換部２１に流入した地下水１７は、流路１４から流出し、第二井戸８２に向かう。熱交換部２１に流入した液体１６は、流路１２から流出し、ファンコイルユニット１０に向かう。
【００３７】
図２に示すように、熱交換部２１には、冷媒配管２１１、圧縮機２１２、冷媒−水熱交換器２１５、膨張弁２１４、冷媒−水熱交換器２１３が設けられている。冷媒配管２１１は、「圧縮機２１２→冷媒−水熱交換器２１５→膨張弁２１４→冷媒−水熱交換器２１３→圧縮機２１２」の順に並ぶ冷媒回路における冷媒の通路を構成するように、圧縮機２１２、冷媒−水熱交換器２１５、膨張弁２１４、及び冷媒−水熱交換器２１３と接続されている。
【００３８】
膨張弁２１４は、冷媒を膨張させるように構成されている。冷媒が膨張することによって、冷媒の温度が低下する。圧縮機２１２は、冷媒を圧縮させるように構成されている。冷媒が圧縮されることによって、冷媒の温度が上昇する。
【００３９】
熱交換部２１及びファンコイルユニット１０は、ＣＰＵ２４１の熱交換制御によって、室内７８１の冷房又は暖房を実行するように動作する。暖房が行われる場合、液体１６が冷媒−水熱交換器２１３によって加熱される。より詳細には、膨張弁２１４によって冷媒が膨張する。これによって、冷媒の温度が低下する。次いで、冷媒−水熱交換器２１５によって、地下水１７から熱が汲み上げられる。このとき、地下水１７の温度は低下し、冷媒の温度は上昇する。次いで、圧縮機２１２によって冷媒が圧縮される。これによって、冷媒の温度が上昇する。次いで、冷媒−水熱交換器２１３において、液体１６と冷媒との熱交換によって、液体１６が加熱される。ファンコイルユニット１０では、加熱された液体１６との熱交換によって、空気を加熱して、室内７８１の暖房を行う。冷媒−水熱交換器２１３を通過した冷媒は、膨張弁２１４に供給される。
【００４０】
冷房が行われる場合、液体１６が冷媒−水熱交換器２１３によって冷却される。より詳細には、圧縮機２１２によって冷媒が圧縮される。これによって、冷媒の温度が上昇する。次いで、冷媒−水熱交換器２１５によって、地下水１７と冷媒との熱交換が行われる。このとき、地下水１７の温度は上昇し、冷媒の温度は低下する。次いで、膨張弁２１４によって冷媒が膨張する。これによって、冷媒の温度は低下する。次いで、冷媒−水熱交換器２１３において、液体１６と冷媒との熱交換によって、液体１６が冷却される。ファンコイルユニット１０では、冷却された液体１６との熱交換によって、空気を冷却して、室内７８１の冷房を行う。冷媒−水熱交換器２１３を通過した冷媒は、圧縮機２１２に供給される。
【００４１】
このように、室内７８１の暖房又は冷房が行われる。熱交換部２１から流出した地下水１７は、流路１４を通って、第二井戸８２に向かう。流路１４を流れる地下水１７は、開口部１４１から第二井戸８２に排出される。第一井戸８１の地下水１７の温度は外気の温度に比べて安定している。このため、液体１６と地下水１７との熱交換を行えば、外気と液体１６との熱交換を行う場合に比べて、熱交換部２１における熱交換の効率が向上する。
【００４２】
ＣＰＵ２４１によって実行される処理について説明する。ファンコイルユニット１０の使用者によって、ファンコイルユニット１０の操作部１０１が操作され、室内７８１の冷房又は暖房を開始する指示が入力されると、ＣＰＵ２４１は、ＲＯＭ２４２から熱交換器制御プログラム、及び、供給処理（図４参照）のプログラム等を読み出す。ＣＰＵ２４１は、読み出したプログラムをＲＡＭ２４３に展開し、各種処理を実行する。
【００４３】
ＣＰＵ２４１は、熱交換部制御プログラムに従って前述の熱交換制御を行い、熱交換部２１及びファンコイルユニット１０を制御し、室内７８１の冷房又は暖房を行う。このとき、液体１６は、ヒートポンプ２の冷媒−水熱交換器２１３、流路１２、ファンコイルユニット１０、及び流路１１を循環する。地下水１７は、流路１３、ヒートポンプ２の冷媒−水熱交換器２１５、及び流路１４に流れる。
【００４４】
また、ＣＰＵ２４１は、熱交換部制御プログラムとともに、供給処理（図４参照）を実行する。図４を参照して、ＣＰＵ２４１において実行される供給処理について説明する。供給処理では、まず、ヒートポンプ２に供給する地下水１７の供給量が決定される（Ｓ１）。Ｓ１においては、例えば、空調負荷等の状況に応じて、地下水１７の供給量が決定される。すなわち、空調負荷が大きい場合は、より大きい供給量が決定され、空調負荷が小さい場合は、より小さい供給量が決定される。次いで、供給量データテーブル９５が参照され、Ｓ１において決定された供給量の地下水１７の供給が開始される（Ｓ２）。
【００４５】
例えば、供給量１２０Ｌ／分が決定されたとする（Ｓ２）。供給量データテーブル９５（図３参照）において、合計供給量１２０Ｌ／分の場合、ポンプの運転台数が２であり、ポンプ１５１の供給量が６０Ｌ／分であり、ポンプ１５２の供給量は６０Ｌ／分である。故に、２台のポンプ１５１，１５２が駆動される。ＣＰＵ２４１はポンプ１５１，１５２を制御し、ポンプ１５１によって６０Ｌ／分で地下水１７を揚水し、ポンプ１５１によって６０Ｌ／分で地下水１７を揚水する。ポンプ１５１，１５２によって揚水された地下水１７は、接続点９００で合流し、１２０Ｌ／分の地下水１７がヒートポンプ２に供給される（Ｓ２）。
【００４６】
次いで、ヒートポンプ２への地下水１７の供給を終了するか否かが判断される（Ｓ３）。Ｓ３の処理では、例えば、ＣＰＵ２４１は、ファンコイルユニット１０の操作部１０１を介して空調の停止の指示が入力された場合に、ヒートポンプ２への地下水１７の供給を終了すると判断する。地下水１７の供給を終了しない場合（Ｓ３：ＮＯ）、地下水１７の供給量を変更するか否かが判断される（Ｓ４）。Ｓ４の処理においては、例えば、室内７８１の温度変化に応じて、又は、操作部１０１を介して入力される室内温度の変更の指示に応じて、ファンコイルユニット１０による空調負荷が変化する。ＣＰＵ２４１は、空調負荷の変化に応じて、地下水１７の供給量を変更する。地下水１７の供給量を変更しない場合（Ｓ４：ＮＯ）、処理はＳ３に戻る。
【００４７】
地下水１７の供給量を変更すると判断された場合（Ｓ４：ＹＥＳ）、ヒートポンプ２に供給する地下水１７の供給量が決定される（Ｓ５）。次いで、供給量データテーブル９５（図３参照）が参照され、ポンプ１５の運転台数を減らすか否かが判断される（Ｓ６）。ポンプの運転台数を減らさない場合（Ｓ６：ＮＯ）供給量データテーブル９５（図３参照）が参照され、ポンプ１５の運転台数を増やすか否かが判断される（Ｓ７）。ポンプ１５の運転台数を増やさない場合（Ｓ７：ＮＯ）、ポンプ１５の運転台数を変更することなく、地下水１７の供給量が変更される（Ｓ７）。Ｓ８の処理が実行された後、処理は、Ｓ３に戻る。
【００４８】
例えば、ヒートポンプ２に供給量１２０Ｌ／分の地下水１７が供給されている状態で、供給量を変更すると判断され（Ｓ４：ＹＥＳ）、供給量２００Ｌ／分に変更すると決定されたとする（Ｓ５）。供給量データテーブル９５（図３参照）に示すように、供給量１２０Ｌ／分におけるポンプ１５の運転台数は２台である。また、２００Ｌ／分におけるポンプ１５の運転台数も２台である。よって、ＣＰＵ２４１は、ポンプ１５の運転台数を減らさないと判断し（Ｓ６：ＮＯ）、ポンプ１５の運転台数を増やさないと判断する（Ｓ７：ＮＯ）。そして、ポンプ１５の運転台数を変更せず、運転中の２台のポンプ１５１，１５２による合計の供給量が増加され、２００Ｌ／分の供給量で、供給が実行される（Ｓ８）。このとき、ポンプ１５１の供給量は１００Ｌ／分であり、ポンプ１５２の供給量は１００Ｌ／分である（図３参照）。
【００４９】
Ｓ６において、ポンプ１５の運転台数を減らすと判断された場合（Ｓ６：ＹＥＳ）、ポンプ１５の運転台数が減らされる（Ｓ９）。次いで、供給量データテーブル９５（図３参照）が参照され、継続して運転するポンプ１５による地下水１７の供給量を増やすか否かが判断される（Ｓ１０）。継続して運転するポンプ１５による地下水１７の供給量を増やすと判断された場合（Ｓ１０：ＹＥＳ）、継続して運転中のポンプ１５による地下水１７の供給量を増やすことで、ヒートポンプ２に供給する地下水１７の供給量が調整される（Ｓ１１）。次いで、処理はＳ３に戻る。
【００５０】
例えば、ヒートポンプ２に供給量１２０Ｌ／分の地下水１７が供給されている状態で、供給量を変更すると判断され（Ｓ４：ＹＥＳ）、供給量９０Ｌ／分に変更すると決定されたとする（Ｓ５）。供給量データテーブル９５（図３参照）に示すように、合計供給量１２０Ｌ／分におけるポンプ１５の運転台数は２台である。また、合計供給量９０Ｌ／分におけるポンプ１５の運転台数は１台である。よって、ＣＰＵ２４１は、ポンプ１５の運転台数を減らすと判断し（Ｓ６：ＹＥＳ）、ポンプ１５２を停止することで、ポンプ１５の運転台数を減らす（Ｓ９）。
【００５１】
また、供給量データテーブル９５（図３参照）において、合計供給量１２０Ｌ／分におけるポンプ１５１の供給量は６０Ｌ／分であり、合計供給量９０Ｌ／分におけるポンプ１５１の供給量は９０Ｌ／分である。このため、継続して運転するポンプ１５１の供給量を増やすと判断され（Ｓ１０：ＹＥＳ）、継続して運転するポンプ１５１の供給量が増やされ、ヒートポンプ２に供給する地下水１７の供給量が９０Ｌ／分に調整される（Ｓ１１）。次いで、処理はＳ３に戻る。
【００５２】
Ｓ１０において、継続して運転するポンプ１５の供給量を増やさないと判断された場合（Ｓ１１：ＮＯ）、継続して運転するポンプ１５の供給量を変更しない、又は、減らすことによって、供給量が調整される（Ｓ１２）。次いで、処理はＳ３に戻る。
【００５３】
例えば、ヒートポンプ２に供給量１２０Ｌ／分の地下水１７が供給されている状態で、供給量を変更すると判断され（Ｓ４：ＹＥＳ）、供給量５０Ｌ／分に変更すると決定されたとする（Ｓ５）。供給量データテーブル９５（図３参照）に示すように、合計供給量１２０Ｌ／分におけるポンプ１５の運転台数は２台である。また、合計５０Ｌ／分におけるポンプ１５の運転台数は２台である。よって、ＣＰＵ２４１は、ポンプ１５の運転台数を減らすと判断し（Ｓ６：ＹＥＳ）、ポンプ１５２の運転を停止することで、ポンプ１５の運転台数を減らす（Ｓ９）。
【００５４】
また、供給量データテーブル９５（図３参照）において、供給量１２０／分におけるポンプ１５１の供給量は６０Ｌ／分であり、供給量５０Ｌ／分におけるポンプ１５１の供給量は５０Ｌ／分である。このため、運転しているポンプ１５１の供給量を増やさないと判断され（Ｓ１０：ＮＯ）、継続して運転するポンプ１５１の供給量が減らされ、供給量が５０Ｌ／分に調整される（Ｓ１１）。これによって、ポンプ１５による供給量が５０Ｌ／分に調整される。次いで、処理はＳ３に戻る。
【００５５】
Ｓ７において、ポンプ１５の運転台数を増やすと判断された場合（Ｓ７：ＹＥＳ）、ポンプ１５の運転台数が増やされる（Ｓ１３）。次いで、供給量データテーブル９５（図３参照）が参照され、Ｓ１３が実行される前から運転しているポンプ１５による地下水１７の供給量を減らすか否かが判断される（Ｓ１４）。Ｓ１３が実行される前から運転しているポンプ１５の地下水１７の供給量を減らすと判断された場合（Ｓ１４：ＹＥＳ）、Ｓ１３が実行される前から運転しているポンプ１５の地下水１７の供給量を減らすことで、供給量が調整される（Ｓ１１）。次いで、処理はＳ３に戻る。
【００５６】
例えば、ヒートポンプ２に供給量９０Ｌ／分の地下水１７が供給されている状態で、供給量を変更すると判断され（Ｓ４：ＹＥＳ）、供給量１３０Ｌ／分に変更すると決定されたとする（Ｓ５）。供給量データテーブル９５（図３参照）に示すように、合計供給量９０Ｌ／分におけるポンプ１５の運転台数は１台である。また、合計供給量１３０Ｌ／分におけるポンプ１５の運転台数は２台である。よって、ＣＰＵ２４１は、ポンプ１５の運転台数を増やすと判断し（Ｓ７：ＹＥＳ）、ポンプ１５２の運転を開始することで、ポンプ１５の運転台数を増やす（Ｓ１３）。なお、このとき、供給量データテーブル９５（図３参照）における供給量１３０Ｌ／分におけるポンプ１５２の供給量である６５Ｌ／分に、ポンプ１５２の供給量が設定される（Ｓ１３）。
【００５７】
また、供給量データテーブル９５（図３参照）において、合計供給量９０Ｌ／分におけるポンプ１５１の供給量は９０Ｌ／分であり、合計供給量１３０Ｌ／分におけるポンプ１５１の供給量は６５Ｌ／分である。このため、Ｓ１３が実行される前から運転しているポンプ１５１の供給量を減らすと判断され（Ｓ１４：ＹＥＳ）、ポンプ１５１の供給量が減らされ、供給量が６５Ｌ／分に調整される（Ｓ１５）。これによって、ポンプ１５１，１５２からヒートポンプ２に供給する地下水１７の供給量が１３０Ｌ／分に調整される。次いで、処理はＳ３に戻る。
【００５８】
Ｓ１４において、Ｓ１３が実行される前から運転しているポンプ１５の供給量を減らさないと判断された場合（Ｓ１４：ＮＯ）、Ｓ１３が実行される前から運転しているポンプ１５の供給量を変更しない、又は、増やすことによって、供給量が調整される（Ｓ１６）。次いで、処理はＳ３に戻る。
【００５９】
例えば、ヒートポンプ２に供給量７０Ｌ／分の地下水１７が供給されている状態で、供給量を変更すると判断され（Ｓ４：ＹＥＳ）、供給量１６０Ｌ／分に変更すると決定されたとする（Ｓ５）。供給量データテーブル９５（図３参照）に示すように、合計供給量７０Ｌ／分におけるポンプ１５の運転台数は１台である。また、合計１６０Ｌ／分におけるポンプ１５の運転台数は２台である。よって、ＣＰＵ２４１は、ポンプ１５の運転台数を増やすと判断し（Ｓ７：ＹＥＳ）、停止していたポンプ１５２の運転を開始することで、ポンプ１５の運転台数を増やす（Ｓ１３）。なお、このとき、供給量データテーブル９５（図３参照）における供給量１６０Ｌ／分におけるポンプ１５２の供給量である８０Ｌ／分に、ポンプ１５２の供給量が設定される（Ｓ１３）。
【００６０】
また、供給量データテーブル９５（図３参照）において、供給量７０Ｌ／分におけるポンプ１５１の供給量は７０Ｌ／分であり、供給量１６０Ｌ／分におけるポンプ１５１の供給量は８０Ｌ／分である。このため、運転しているポンプ１５１の供給量を減らさないと判断され（Ｓ１４：ＮＯ）、Ｓ１３が実行される前から運転しているポンプ１５の供給量が増やされ、供給量が８０Ｌ／分に調整される（Ｓ１１）。これによって、ポンプ１５１，１５２による供給量が１６０Ｌ／分に調整される。次いで、処理はＳ３に戻る。
【００６１】
Ｓ３において、ヒートポンプ２への地下水１７の供給を終了すると判断された場合（Ｓ３：ＹＥＳ）、終了処理が行われ、全てのポンプ１５の運転が停止される（Ｓ１７）。次いで、供給量処理が終了される。
【００６２】
以上のように、本実施形態における処理が実行される。本実施形態の地下水利用システム１は、複数のポンプ１５を備える。ＣＰＵ２４１は、ポンプ１５の運転台数を変更して、第一井戸８１からヒートポンプ２に地下水１７を供給することができる（図４のＳ９及びＳ１３参照）。このため、高流量時には、ポンプ１５の運転台数を増やし、多くの地下水１７をヒートポンプ２に供給することができる（Ｓ１３参照）。本実施形態においては、２台のポンプ１５を運転し、供給量１１０Ｌ／分〜２００Ｌ／分の地下水１７を、ヒートポンプ２に供給できる（図３参照）。また、低流量時には、ポンプ１５の運転台数らして、少量の地下水１７を、ヒートポンプ２に供給することができる。このため、低負荷時のポンプ１５の消費電力を低減できる。よって、地下水利用システム１の消費電力を低減することができる。故に、地下水利用システムは、必要時には多くの地下水を供給でき、且つ、地下水の供給量を十分に絞った時の消費電力を低下させる。本実施形態においては、１台のポンプ１５を運転し、供給量５０Ｌ／分〜１００Ｌ／分の地下水１７をヒートポンプ２に供給できる（図３参照）。
【００６３】
例えば、従来のシステムでは、高流量時に地下水１７を供給するために、図１２に示す最大の供給量Ｑ１を供給可能なポンプを選択していた。この場合、最小の供給量Ｑ２より少ない供給量の地下水１７は供給できない。よって、ポンプの消費電力をＰ２より小さくすることはできない。本実施形態においては、図５に示すように、複数のポンプ１５を運転（本実施形態では２台運転）することで、最大の供給量Ｑ１（本実施形態では、２００Ｌ／分）の地下水１７を供給できる。また、ポンプ１５の運転台数を減らして運転することで、供給量Ｑ２（本実施形態では１００Ｌ／分）よりも小さい供給量Ｑ３（本実施形態では５０Ｌ／分）まで、最小の供給量を下げることができる。よって、ポンプ１５の消費電力は、Ｐ２より小さいＰ３にすることができる。このように、本実施形態の地下水利用システム１はポンプ１５の運転台数を変更できるので、高流量時にはポンプ１５の運転台数を増やして多くの地下水１７をヒートポンプ２に供給できる。さらに、低流量時には、ポンプ１５の運転台数を減らして地下水１７を少量の地下水１７をヒートポンプ２に供給し、ポンプ１５の消費電力を低減し、ひいては、地下水利用システム１の消費電力を低減することができる。
【００６４】
また、複数のポンプ１５は、第一井戸８１の地下水１７の中に配置されている。複数のポンプ１５は、流路１３において並列に接続されている。この場合、並列に接続された複数のポンプ１５の運転台数を変更することができる。並列に接続された複数のポンプ１５を利用して、高流量時に運転するポンプを増やして多くの地下水１７を供給でき、且つ、低流量時にポンプ１５の運転台数を減らしてポンプ１５と地下水利用システム１の消費電力を低減することができる。
【００６５】
また、本実施形態では、地下水１７を利用する地下水利用装置として、ヒートポンプ２が用いられる。ヒートポンプ２は、少量の地下水を利用して熱交換の動作をすることができる。しかし、従来のシステムでは、空調負荷が大幅に低下したときでも、ポンプの最小供給量より小さい供給量でポンプを運転することがでなかったので、システム全体としての消費電力が増大していた。本実施形態では、ポンプ１５の運転台数を減らして、少量の地下水を、ヒートポンプ２に供給できるので、ポンプ１５だけでなく、地下水利用システム１としての消費電力を低減することができる。
【００６６】
また、ＣＰＵ２４１は、運転台数を増やす場合（Ｓ１３）、運転台数を増やす前から運転していたポンプ１５による地下水１７の供給量を減らし、第一井戸８１からヒートポンプ２に供給する地下水１７の供給量を調整する（Ｓ１５）。単一のポンプ１５ごとに、地下水１７の最小の供給量（本実施形態においては、５０ｍＬ／分）が決まっている。駆動するポンプ１５を増やすと、少なくとも増やしたポンプ１５の最小の供給量分、地下水１７の供給量が増える。しかし、運転台数を増やす前から運転していたポンプ１５による地下水１７の供給量が減らされるので（Ｓ１５）、複数のポンプ１５が供給する合計の供給量を、単一のポンプ１５の最小の供給量よりも小さい範囲で調整することができる。よって、運転台数を増やす前から運転していたポンプ１５による地下水１７の供給量が減少しない場合に比べ、地下水利用システム１は、状況に応じてより適切に地下水１７の供給量を設定することができる。
【００６７】
また、ＣＰＵ２４１は、運転台数を減らす場合（Ｓ９）、継続運転するポンプ１５による地下水１７の供給量を増やし、第一井戸８１からヒートポンプ２に供給する地下水１７の供給量を調整する（Ｓ１１）。前述したように、単一のポンプ１５ごとに、地下水１７の最小の供給量（本実施形態においては、５０ｍＬ／分）が決まっている。駆動するポンプ１５を減らすと、少なくとも減らしたポンプ１５の最小の供給量分、地下水１７の供給量が減る。しかし、継続運転するポンプ１５による地下水１７の供給量が増やされるので（Ｓ１１）、複数のポンプ１５が供給する合計の供給量を、単一のポンプ１５の最小の供給量よりも小さい範囲で調整することができる。よって、継続運転するポンプ１５による地下水１７の供給量が増大しない場合に比べ、地下水利用システム１は、状況に応じてより適切に地下水１７の供給量を設定することができる。
【００６８】
上記実施形態において、流路１３は本発明の「流路」の一例である。ヒートポンプ２は、本発明の「地下水利用装置」の一例である。Ｓ７、Ｓ９、Ｓ１１、Ｓ１２、Ｓ１３、Ｓ１５、Ｓ１６の処理を行うＣＰＵ２４１は本発明の「調整制御手段」の一例である。Ｓ１３の処理を行うＣＰＵ２４１は、本発明の「ポンプ駆動制御手段」の一例である。Ｓ１５の処理を行うＣＰＵ２４１は、本発明の「減少制御手段」の一例である。Ｓ９の処理を行うＣＰＵ２４１は、本発明の「ポンプ停止制御手段」の一例である。Ｓ１１の処理を行うＣＰＵ２４１は、本発明の「増大制御手段」の一例である。ポンプ１５１，１５２は本発明の「供給量調整ポンプ」の一例である。
【００６９】
なお、本発明は上記の実施形態に限定されるものではなく、種々の変更が可能である。以下の変形例の説明において、図１と同様の構成は同じ符号で示し、詳細な説明は省略する。
【００７０】
例えば、複数のポンプ１５は、流路１３において並列に配置されていたが、これに限定されない。図６に示す変形例に係る地下水利用システム１である地下水利用システム１Ａのように、複数のポンプ１５が直列に配置されてもよい。地下水利用システム１Ａにおいては、流路１３として、一本の流路１３４が、第一井戸８１の地下水１７の中から、ヒートポンプ２に延びる。
【００７１】
流路１３において、複数のポンプ１５であるポンプ１５３，１５４が直列に配置されている。ポンプ１５３は、地下水１７の中に配置された揚水ポンプであり、ポンプ１５４は、陸上に配置されたラインポンプである。
【００７２】
流路１３には、ポンプ１５４を迂回する流路１３５が設けられ、流路１３５には電動弁９３０が設けられている。ＣＰＵ２４１は、ポンプ１５４を運転するとき、電動弁９３０を閉じる。故に、地下水１７は、ポンプ１５４を通ってヒートポンプ２に向かう。ＣＰＵ２４１は、ポンプ１５４の運転を停止するとき、電動弁９３０を開く。故に、地下水１７は、電動弁９３０を通って、ヒートポンプ２に向かう。
【００７３】
ＣＰＵ２４１は、上記実施形態と同様に、供給処理（図４参照）を行って、ヒートポンプ２に供給する地下水１７の供給量を制御する。なお、図３の供給量データテーブル９５におけるポンプ１５１の供給量を、ポンプ１５３の供給量とし、ポンプ１５２の供給量を、ポンプ１５４の供給量とする。
【００７４】
本変形例の場合、直列に接続された複数のポンプ１５の運転台数を変更することができる。このため、高流量時に運転するポンプ１５を増やして多くの地下水を供給でき、且つ、低流量時にポンプの１５運転台数を減らしてポンプの消費電力を低減することができる。よって、地下水利用システムの消費電力を低減することができる。
【００７５】
また、図１に示す形態においては、接続点９００において、流路１３２と流路１３３とが合流していたが、これに限定されない。例えば、図７に示す変形例に係る地下水利用システム１である地下水利用システム１Ｂのように、流路１３２，１３３を取り付けたヘッダ管８０１において、流路１３２と流路１３３とが合流してもよい。
【００７６】
また、図８に示す変形例に係る地下水利用システム１である地下水利用システム１Ｃのように、第一井戸８１から揚水した地下水１７を貯留する密閉タンク８０３において、流路１３２と流路１３３とが合流してもよい。密閉タンク８０３は、内部空間が密閉された密閉式のタンクである。このため、流路１３２と流路１３３から密閉タンク８０３に供給された地下水１７と同じ量の地下水１７が、密閉タンク８０３から流路１３１に流れ、ヒートポンプ２に供給される。
【００７７】
また、図９に示す変形例に係る地下水利用システム１である地下水利用システム１Ｄのように、第一井戸８１から揚水した地下水１７を貯留する開放タンク８０５において、流路１３２と流路１３３とが合流してもよい。開放タンク８０５は、大気に開放された開放式のタンクである。このため、密閉式のタンクとは異なり、流路１３２と流路１３３から開放タンク８０５に地下水１７が供給されても、流路１３１に地下水１７が流れ難い。故に、流路１３１に、ポンプ１５であるポンプ１５５を設ける。例えば、ＣＰＵ２４１は、ポンプ１５１，１５２による地下水１７の合計供給量と同じ供給量分、ポンプ１５５によって開放タンク８０５からヒートポンプ２に地下水１７を供給する。なお、流路１３１に、２以上のポンプ１５を配置し、ポンプ１５１，１５２の場合と同様に、流路１３１上のポンプ１５の運転台数を変更し、供給量を調整してもよい。
【００７８】
また、上記実施形態において、複数のポンプ１５の数は、限定されない。複数のポンプ１５は、３台以上であってもよい。例えば、複数のポンプ１５が３台である場合、図１０に示す供給量データテーブル９５Ａのように、合計供給量５０〜３００Ｌ／分の地下水１７をヒートポンプ２に供給できる。なお、各ポンプ１５の供給量の設定は一例であり、種々に変更可能である（Ｓ３及び図１２も同様）
【００７９】
また、流路１３において、全てのポンプ１５が並列に配置されなくてもよい。複数のポンプ１５の一部が、流路１３において並列に配置されてもよい。また、流路１３において、全てのポンプ１５が直列に配置されなくてもよい。複数のポンプ１５の一部が、流路１３において直列に配置されてもよい。また、流路１３において、複数のポンプ１５の一部が並列に配置され、他のポンプが直列に接続されてもよい。
【００８０】
また、ポンプ１５は、地下水１７の供給量を調整可能な供給量調整ポンプであったが、これに限定されない。複数のポンプ１５の少なくとも一部は、地下水１７の供給量が一定の定流量ポンプであってもよい。この場合、地下水利用システム１は、定流量ポンプを含んだ複数のポンプ１５の運転台数を変更することで、第一井戸８１からヒートポンプ２に供給する地下水１７の供給量を調整することができる。また、複数のポンプ１５は、供給量調整ポンプと定流量ポンプを含んでもよい。この場合、地下水利用システム１は、定流量ポンプと供給量調整ポンプを含んだ複数のポンプ１５の運転台数を変更することで、第一井戸８１からヒートポンプ２に供給する地下水１７の供給量を調整することができる。
【００８１】
例えば、図１に示す地下水利用システム１において、ポンプ１５２が、１００Ｌ／分の地下水１７を供給可能な定流量ポンプである場合、図１１に示す供給量データテーブル９５Ｂのように、合計供給量５０Ｌ／分以上１５０Ｌ／分以下の地下水１７をヒートポンプ２に供給できる。
【００８２】
なお、定流量ポンプであるポンプ１５２における地下水１７の供給量が、供給量調整ポンプであるポンプ１５１における地下水１７の最小の供給量以下であるとよい。この場合、定流量ポンプであるポンプ１５２の供給量が、供給量調整ポンプであるポンプ１５１の最小の供給量より大きい場合に比べて、複数のポンプ１５の合計の供給量を滑らかに変化させることができる。仮に、定流量ポンプであるポンプ１５２の供給量が、供給量調整ポンプであるポンプ１５１の最小の供給量「５０Ｌ／分」よりも大きい「１００Ｌ／分」である場合、合計供給量は、５０Ｌ／分以上１００Ｌ／分以下、１５０Ｌ／分以上２００Ｌ／分以下のように変化する。この場合、地下水利用システム１は、１００Ｌより大きく１５０Ｌ／分より小さい範囲の地下水１７をヒートポンプ２に供給できず、複数のポンプ１５の合計の供給量を滑らかに変化させることができない。図１１に示す例においては、定流量ポンプであるポンプ１５２の供給量「５０Ｌ／分」が、供給量調整ポンプであるポンプ１５１の最小の供給量「５０Ｌ／分」と同じに設定されているので、合計供給量５０Ｌ／分以上１５０Ｌ／分以下の範囲で、複数のポンプ１５の合計の供給量を滑らかに変化させることができる。また、仮に、定流量ポンプであるポンプ１５２の供給量が、供給量調整ポンプであるポンプ１５１の最小の供給量「５０Ｌ／分」よりも小さい「４０Ｌ／Ｍ」である場合、合計供給量は、５０Ｌ／分以上１４０Ｌ／分以下の範囲で、複数のポンプ１５の合計の供給量を滑らかに変化させることができる。
【００８３】
なお、図１１に示す例は、運転台数を変更する場合に、定流量ポンプであるポンプ１５２を停止又は運転しているが、供給量調整ポンプであるポンプ１５１を停止又は運転してもよい。
【００８４】
また、空調を行う場合を例にして説明したが、地下水を利用する態様であれば、特に空調に限られない。例えば、地下水１７を利用して、他の液体を冷却してもよい。また、地下水１７を利用する地下水利用装置として、ヒートポンプを例に説明したが、地下水１７を利用する装置であれば、他の機器でもよい。
【００８５】
また、制御部２４は、ヒートポンプ２に設けられていたが、これに限定されない。制御部２４は、ヒートポンプ２とは別体で設けられてもよい。
【符号の説明】
【００８６】
１，１Ａ，１Ｂ，１Ｃ，１Ｄ    地下水利用システム
２    ヒートポンプ
１１，１２，１３、１４，１３１，１３２，１３３，１３４，１３５    流路
１５，１５１，１５２，１５３，１５４，１５５    ポンプ
１７    地下水
８１    第一井戸
２４１    ＣＰＵ
【図１】
2019174025.tif 000003
【図２】
2019174025.tif 000004
【図３】
2019174025.tif 000005
【図４】
2019174025.tif 000006
【図５】
2019174025.tif 000007
【図６】
2019174025.tif 000008
【図７】
2019174025.tif 000009
【図８】
2019174025.tif 000010
【図９】
2019174025.tif 000011
【図１０】
2019174025.tif 000012
【図１１】
2019174025.tif 000013
【図１２】
2019174025.tif 000014